(57)【特許請求の範囲】
【請求項１】
筒状の外側筐体と、
前記外側筐体の上端付近に取り付けられたスピーカユニットと、
前記外側筐体の内側に備えられた筒状の内側筐体と、を備えたスピーカ装置であって、
前記外側筐体と前記内側筐体とは、略同心円状に配置されており、
前記内側筐体内には、吸音材が配されており、
前記外側筐体と、前記内側筐体との間は、前記内側筐体の全外周にわたって、断面形状がリング状の空洞とされており、
前記内側筐体から放出される音と、前記外側筐体と前記内側筐体との間の空洞から放出される音とは、合成されることを特徴とするスピーカ装置。
【請求項２】
前記吸音材は、グラスウール系吸音材、粗毛フェルト系吸音材、化繊系の吸音材、ウレタン系吸音材、及びウール系吸音材からなる群より選ばれ、
前記外側筐体は、上部筐体と、下部筐体からなり、
前記上部筐体の下面には、前記内側筐体の内部空間と連通する中心孔が形成されており、前記中心孔には、その中心を通りつつ縁部を結ぶ橋部が形成されており、前記橋部は、十字形状とされていることを特徴とする請求項１に記載のスピーカ装置。
【請求項３】
前記スピーカユニットの振動板は、上方を向くように配置され、
前記振動板から所定距離を開けて上方には、音の反射部が備えられ、
前記外側筐体の上端と前記反射部とは、連結部によって連結されていることを特徴とする請求項１又は２に記載のスピーカ装置。
【請求項４】
前記外側筐体は、主として金属からなり、
前記内側筐体は、主として金属からなることを特徴とする請求項１乃至３のいずれか一項に記載のスピーカ装置。
【請求項５】
前記反射部には、樹脂製の反射板が備えられていることを特徴とする請求項１乃至４のいずれか一項に記載のスピーカ装置。
【請求項６】
前記連結部は、その中程よりも上方に向けて徐々に幅が広がるような形態であり、
前記連結部は、その中程よりも下方に向けて徐々に幅が広がるような形態であり、
前記連結部の外形線が曲線とされていることを特徴とする請求項３乃至５のいずれか一項に記載のスピーカ装置。
【請求項７】
前記連結部は、１つのみ形成されていることを特徴とする請求項３乃至６のいずれか一項に記載のスピーカ装置。
【請求項８】
前記外側筐体のうち、前記スピーカユニットのフレームが取り付けられる座部分は、磁石に引きつけられない金属を用いて構成されていることを特徴とする請求項１乃至７のいずれか一項に記載のスピーカ装置。
【発明の詳細な説明】
【技術分野】
【０００１】
本発明は、スピーカ装置に関し、更に詳しくは、外側筐体と、内側筐体とを備えたスピーカ装置に関する。
【背景技術】
【０００２】
スピーカ装置としては、筐体が箱型や球型等の形状をしたものが広く知られている。
ところが、これらのスピーカ装置では、位相特性等が乱れる場合があり、原音波の忠実な再現が難しい場合があった。
そこで、原音波をより忠実に再現するために種々のスピーカ装置が開発されている。例えば、筒形状の筐体を有するスピーカ装置である（例えば、特許文献１参照）。このスピーカ装置によれば音の再現性が向上するとされている。
ところで、スピーカ装置は、単に原音を忠実に再現することのみが求められているわけではない。すなわち、音を聴く人は、人によって様々な感性を有しており、従来にはない独自の音を再生するスピーカ装置が常に探求されているのが現状である。
【先行技術文献】
【特許文献】
【０００３】
【特許文献１】特開２００１−２２４０８９公報
【発明の概要】
【発明が解決しようとする課題】
【０００４】
本発明は、上記現状に鑑みてなされたものであり、独自の音を再生できるスピーカ装置を提供することを目的とする。
【課題を解決するための手段】
【０００５】
上記問題を解決するために、請求項１に記載の発明は、
筒状の外側筐体と、
前記外側筐体の上端付近に取り付けられたスピーカユニットと、
前記外側筐体の内側に備えられた筒状の内側筐体と、を備えたスピーカ装置であって、
前記外側筐体と前記内側筐体とは、略同心円状に配置されており、
前記内側筐体内には、吸音材が配されており、
前記外側筐体と、前記内側筐体との間は、前記内側筐体の全外周にわたって、断面形状がリング状の空洞とされており、
前記内側筐体から放出される音と、前記外側筐体と前記内側筐体との間の空洞から放出される音とは、合成されることを特徴とするスピーカ装置である。
【０００６】
請求項２に記載の発明は、
前記吸音材は、グラスウール系吸音材、粗毛フェルト系吸音材、化繊系の吸音材、ウレタン系吸音材、及びウール系吸音材からなる群より選ばれ、
前記外側筐体は、上部筐体と、下部筐体からなり、
前記上部筐体の下面には、前記内側筐体の内部空間と連通する中心孔が形成されており、前記中心孔には、その中心を通りつつ縁部を結ぶ橋部が形成されており、前記橋部は、十字形状とされていることを特徴とする請求項１に記載のスピーカ装置である。
【０００８】
請求項３に記載の発明は、
前記スピーカユニットの振動板は、上方を向くように配置され、
前記振動板から所定距離を開けて上方には、音の反射部が備えられ、
前記外側筐体の上端と前記反射部とは、連結部によって連結されていることを特徴とする請求項１又は２に記載のスピーカ装置である。
【０００９】
請求項４に記載の発明は、
前記外側筐体は、主として金属からなり、
前記内側筐体は、主として金属からなることを特徴とする請求項１乃至３のいずれか一項に記載のスピーカ装置である。
【００１０】
請求項５に記載の発明は、
前記反射部には、樹脂製の反射板が備えられていることを特徴とする請求項１乃至４のいずれか一項に記載のスピーカ装置である。
【００１１】
請求項６に記載の発明は、
前記連結部は、その中程よりも上方に向けて徐々に幅が広がるような形態であり、
前記連結部は、その中程よりも下方に向けて徐々に幅が広がるような形態であり、
前記連結部の外形線が曲線とされていることを特徴とする請求項３乃至５のいずれか一項に記載のスピーカ装置である。
【００１２】
請求項７に記載の発明は、前記連結部は、１つのみ形成されていることを特徴とする請求項３乃至６のいずれか一項に記載のスピーカ装置である。
【００１３】
請求項８に記載の発明は、前記外側筐体のうち、前記スピーカユニットのフレームが取り付けられる座部分は、磁石に引きつけられない金属を用いて構成されていることを特徴とする請求項１乃至７のいずれか一項に記載のスピーカ装置である。
【発明の効果】
【００１４】
本発明のスピーカ装置は、筒状の外側筐体と、外側筐体の上端付近に取り付けられたスピーカユニットと、外側筐体の内側に備えられた筒状の内側筐体と、を備えたスピーカ装置である。そして、外側筐体と内側筐体とは、略同心円状に配置されており、内側筐体内には、吸音材が配されている。そして、外側筐体と、内側筐体との間は、内側筐体の全外周にわたって、断面形状がリング状の空洞とされており、内側筐体から放出される音と、外側筐体と内側筐体との間の空洞から放出される音とは、合成される。
本スピーカ装置によれば、内側筐体内の吸音材により、音に変化を付けることができ、独自の音を再生できる。
【００１５】
また、外側筐体と内側筐体との間は、空洞とされているので、この空洞部分の音と、内側筐体内の音とを、異なる音にできる。
【００１６】
また、内側筐体から放出される音と、外側筐体と内側筐体との間の空洞から放出される音とが、合成される構成なので、音の合成により独自の音となる。
【００１７】
また、スピーカユニットの振動板は、上方を向くように配置され、振動板から所定距離を開けて上方には、音の反射部が備えられ、外側筐体の上端と反射部とは、連結部によって連結されている場合には、以下の作用効果を奏する。すなわち、この場合には、振動板から上方に放出された音は、反射板により反射されて拡散できる。
【００１８】
また、外側筐体は、主として金属からなり、内側筐体は、主として金属からなる場合には、木製や樹脂製の筐体の場合よりも反射し易く、独自の音となる。
【００１９】
また、反射部には、樹脂製の反射板が備えられている場合には、反射部の重量を金属製のものよりも軽くすることができるから、スピーカ装置の重量バランスがよくなる。
【００２０】
また、連結部は、その中程よりも上方に向けて徐々に幅が広がるような形態であり、連結部は、その中程よりも下方に向けて徐々に幅が広がるような形態であり、外形線が曲線とされている場合には、以下の作用効果を奏する。一般に角張った連結部では、音が広がる際に邪魔になりやすいが、連結部が、このように徐々に幅が広がるような外形が曲線の形態の場合は音の広がりを邪魔しにくい。また、連結部がこのような形態の場合には、意匠性が高い。
【００２１】
また、連結部が、１つのみ形成されている場合には、音が広がる際に邪魔になりにくい。
【００２２】
また、外側筐体のうち、スピーカユニットのフレームが取り付けられる座部分は、磁石に引きつけられない金属を用いて構成されている場合には、スピーカユニットの取り付けが容易である。
【図面の簡単な説明】
【００２３】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例に係るスピーカ装置を模式的に示す図（正面図）である。
【図２】実施例に係るスピーカ装置の一部を破断した説明図である。
【図３】実施例に係るスピーカ装置の外側筐体と、内側筐体とを示す説明図（斜視図）である。
【図４】実施例に係るスピーカ装置の内側筐体を示す説明図（斜視図）である。
【図５】実施例に係るスピーカ装置の外側筐体を示す説明図（斜視図）である。
【図６】実施例に係るスピーカ装置の要部拡大断面図である。
【図７】実施例に係るスピーカ装置における外側筐体の上部筐体を示す説明図（正面図である。
【図８】実施例に係るスピーカ装置における外側筐体を示す説明図である。
【図９】実施例に係るスピーカ装置における外側筐体の上部筐体を示す説明図（分解斜視図）である。
【図１０】実施例に係るスピーカ装置における外側筐体の上部筐体を示す説明図（背面図）である。
【図１１】実施例に係るスピーカ装置における外側筐体の上部筐体を示す説明図（底面図）である。
【図１２】実施例に係るスピーカ装置における外側筐体の上部筐体を示す説明図（側面図）である。
【図１３】実施例に係るスピーカ装置の設置状態を示す説明図（側面図）である。
【発明を実施するための形態】
【００２４】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００２５】
本実施形態に係るスピーカ装置（１）は、筒状の外側筐体（３）と、外側筐体（３）の上端に取り付けられたスピーカユニット（５）と、外側筐体（３）の内側に備えられた筒状の内側筐体（７）と、を備えたものである。
外側筐体（３）と内側筐体（７）とは、略同心円状に配置されている。そして、内側筐体（７）内には、吸音材（９）が配されている。
【００２６】
外側筐体（３）の材質は、特に限定されず、適宜選択できる。例えば、金属製とすることができる。また、外側筐体（３）の一部を、その他の部分と異なる材質としてもよい。
外側筐体（３）のうち、スピーカユニット（５）のフレーム（５Ａ）が取り付けられる座部分（３Ａ）は、磁石に引きつけられない金属を用いて構成されていることが好ましい。
内側筐体（７）の材質は、特に限定されず、適宜選択できる。例えば、金属製とすることができる。また、外側筐体（３）の一部を、その他の部分と異なる材質としてもよい。
【００２７】
吸音材（９）は、特に限定されず、適宜選択できる。例えば、グラスウール系吸音材、粗毛フェルト系吸音材、アセテートやポリアミド（ナイロン）等の化繊系の吸音材、ウレタン系吸音材、ウール系吸音材等を用いることができる。
【００２８】
外側筐体（３）と、内側筐体（７）との間は、空洞とされている。
【００２９】
内側筐体（７）から放出される音と、外側筐体（３）と内側筐体（７）との間の空洞から放出される音とは、合成される。この場合において、合成するための合成室（１１）が設けられていることが好ましい。合成室（１１）を設けることで確実に音の合成を行えるからである。
【００３０】
スピーカユニット（５）の振動板（５Ｂ）は、通常、上方を向くように配置される。また、本実施形態では、振動板（５Ｂ）から所定距離を開けて上方には、音の反射部１３が備えられることが好ましい。反射部（１３）を設けることで、音を拡散することができるからである。この場合において、外側筐体（３）の上端と反射部（１３）とは、連結部（１５）によって連結されている。
【００３１】
反射部（１３）の材質は、特に限定されず、適宜選択できる。例えば、樹脂製とすることができる。また、反射部（１３）の形態は、特に限定されない。反射部（１３）は例えば、下側に突出するような円錐部を有する形態であることができる。円錐部を有する形状であると、振動板（５Ｂ）の音を効率よく拡散できるからである。具体的な形態としては、円柱の底面に円錐が取り付けられたような形態が挙げられる。
なお、反射部（１３）は、中実であることが好ましい。反射部（１３）が中空であると反射の効率が低下する傾向にあるからである。
また、中実とする場合には、樹脂製とすることが好ましい。金属製の中実構造とすると重たくなるため、スピーカ装置（１）の重量バランスが悪くなるからである。
【００３２】
連結部（１５）の形態は、特に限定されず、適宜選択できる。また、連結部（１５）の個数も特に限定されず、単数であっても複数であってもよい。連結部（１５）は、単数の方が好ましい。
連結部（１５）は、その中程よりも上方に向けて徐々に幅が広がるような形態であり、その中程よりも下方に向けて徐々に幅が広がるような形態であることが好ましい。連結部（１５）は、さらに、その外形線が曲線とされていることが好ましい。連結部（１５）が、このような形態であると、音の広がりを阻害しにくくなるからである。また、連結部（１５）のデザイン性が高くなるからである。
また、連結部（１５）は、外側筐体（３）の上端のうち、スピーカ装置（１）の背面側に配されることが好ましい。この位置に連結部（１５）が配置されると、前面側に放出される音が、連結部（１５）によって遮られないからである。
【００３３】
本実施形態に係るスピーカ装置（１）では、外側筐体（３）と内側筐体（７）とは、略同心円状に配置されており、内側筐体（７）内には、吸音材（９）が配されている。このスピーカ装置（１）によれば、内側筐体（７）内の吸音材（９）により、音に変化を付けることができ、独自の音を再生できる。
【００３４】
なお、上記実施形態で記載した各構成の括弧内の符号は、後述する実施例に記載の具体的構成との対応関係を示すものである。
【実施例】
【００３５】
以下、図面を参照して実施例により本発明をより具体的に説明する。
＜実施例１＞
（１）スピーカ装置の構成
本実施例に係るスピーカ装置１は、筒状の外側筐体３と、外側筐体３の上端付近に取り付けられたスピーカユニット５と、外側筐体３の内側に備えられた筒状の内側筐体７と、を備えたものである。
外側筐体３と内側筐体７とは、略同心円状に配置されている。そして、内側筐体７内には、吸音材９が配されている。
【００３６】
本実施例に係るスピーカ装置１は、図１に示すように、全体として縦長のスピーカ装置１である。
外側筐体３は、上部筐体１７と、下部筐体１９からなり、両者は図示しないネジ等の締結部材により着脱可能に組み付けられている。外側筐体３には、外径が１００ｍｍ〜１６０ｍｍで、肉厚が３〜４ｍｍの一般構造用圧延鋼材（ＳＳ材）の円パイプが用いられている。
図７に示すように、上部筐体１７は、連結部１５を介して反射部１３と一体に組み立てられた組み立て体２１とされている。
【００３７】
上部筐体１７は、円パイプから切り出したものを加工してなる。上部筐体１７には、図８、図９に示すように、ステンレス製の座部分３Ａが取り付けられ、この座部分３Ａに、スピーカユニット５のフレーム５Ａが組み付けられている。
図９に示すように、反射部１３は、円環部１３Ａと、この円環部１３Ａの内側に嵌めた状態で固定された樹脂製の反射板１３Ｂと、を備えてなる。反射板１３Ｂは、例えばアクリル樹脂からなる。
図９に示すように、反射板１３Ｂの上端部には、鍔２３が形成されており、この鍔２３が円環部１３Ａの上部に引っ掛かるようにされている。この鍔２３により、反射板１３Ｂが、円環部１３Ａから抜け落ちることを防止している。
【００３８】
図１０、１３に示すように、上部筐体１７の背面側には、転倒を防止するための転倒防止部材を取り付けるための取り付け部２５が形成されている。
図１１に示すように、上部筐体１７の下面には、内側筐体７の内部空間７Ａと連通する中心孔２７と、中心孔２７の周囲を囲むように複数の周囲孔２９とが形成されている。周囲孔２９は、外側筐体３と内側筐体７との間にできる外側空間６と連通するようにされている。中心孔２７は、略円形をなしている。中心孔２７には、その中心を通りつつ縁部を結ぶ橋部３１が形成されている。橋部３１は、十字形状とされている。橋部３１は、内側筐体７の内部に配される吸音材９が上から出ないように止める機能を有する。
周囲孔２９は、略円形をなしている。
【００３９】
図１２に示すように、側面視で、反射部１３の反射板１３Ｂの下端から、上部筐体１７の上端までの距離Ｌ１は、スピーカユニット５の奥行きＬ２よりも小さくされている。このようにすることで、スピーカユニット５を簡単に取り外して不用意な分解ができないようにしている。
【００４０】
内側筐体７は、図３に示すように、全体として筒状をなしている。内側筐体７には、外径が７０ｍｍ〜９０ｍｍで、肉厚が１〜２．５ｍｍの一般構造用圧延鋼材（ＳＳ材）の円パイプが用いられている。内側筐体７の上端部付近には、上部鍔部３３が形成されている。上部鍔部３３は、円環状をなしている。上部鍔部３３には、外側筐体３の上部筐体１７の周囲孔２９に対応する位置に、複数の貫通孔３５が形成されている。貫通孔３５は、略円形をなしている。
内側筐体７の下端部付近には、図４に示すように、下部鍔部３７が形成されている。下部鍔部３７は、円環状をなしている。下部鍔部３７には、上部鍔部３３の貫通孔３５の略直下となる位置に複数の貫通孔３９が形成されている。貫通孔３９は、略円形をなしている。
【００４１】
スピーカユニット５の振動板５Ｂから放出された音の一部は、周囲孔２９及び貫通孔３５を通して、外側筐体３と内側筐体７との間の外側空間６に導入され、貫通孔３９を通して、図６に示す合成室１１に導入されるようになっている。
【００４２】
内側筐体７の下端は、図４に示すように、複数の孔４３が形成された金属等からなる板材４５によって塞がれている。板材４５の孔４３は、吸音材９が通らない程度の大きさ（例えば、径が２〜１０ｍｍ）の略円形状のものであり、吸音材９の落下を防止するとともに、内側空間７Ａの音を合成室１１に導入する機能も有する。
スピーカユニット５の振動板５Ｂから放出された音の一部は、中心孔２７を通して、内側筐体７内の内側空間７Ａに導入され、板材４５の孔４３を通して、図６に示す合成室１１に導入されるようになっている。
【００４３】
合成室１１は、図６に示すように、内側筐体７の下部に位置する。合成室１１は、その上部で、内側空間７Ａ及び外側空間６の双方と連通している。合成室１１の下方には、複数の貫通孔４７が形成されており、貫通孔４７から音が放出されるようにされている。
【００４４】
（２）スピーカ装置の作用
次に上記構成のスピーカ装置１の作用について説明する。
スピーカユニット５から上方に放出された音は、反射部１３によって反射される。この際、反射部１３の反射板１３Ｂは、下に突出した円錐部を有しているから、音が３６０°広がるように拡散する。
【００４５】
一方、スピーカユニット５から下方に放出された音は、内部空間７Ａ、及び外側空間６に導入される。そして、内部空間７Ａ内の共鳴しない音と、外側空間６内の共鳴する音とは、合成室１１内で、合成されて、貫通孔４７から放出される。
【００４６】
（３）実施例の効果
本実施例のスピーカ装置１では、外側筐体３と内側筐体７とは、略同心円状に配置されており、内側筐体７内には、吸音材９が配されている。スピーカ装置１によれば、内側筐体７内の吸音材９により、内部空間７Ａの音を共鳴しない音にすることができる。
また、本実施例のスピーカ装置１では、金属製の外側筐体３と金属製の内側筐体７との間の外側空間６によって、ここの音を共鳴する音にすることができる。
そして、内側空間７Ａから放出される共鳴しない音と、外側空間６から放出される共鳴する音とが、合成されて独自の音を放出できる。
【００４７】
また、本実施例のスピーカ装置１では、スピーカユニット５の振動板５Ａは、上方を向くように配置され、振動板５Ｂから所定距離を開けて上方には、音の反射部１３が備えられている。振動板５Ｂから上方に放出された音は、反射板１３Ｂにより反射されて拡散される。
【００４８】
本実施例のスピーカ装置１では、合成室１１で合成された音と、反射部１３によって反射された音の双方が放出されるので、従来のスピーカ装置１にはない独自の音が出る。
【００４９】
また、本実施例のスピーカ装置１では、反射部１３には、樹脂製の反射板１３Ｂが備えられているから、反射部１３の重量を金属製よりも軽くでき、スピーカ装置１の重量バランスがよくなる。
【００５０】
また、反射部１３を連結するための連結部１５は、その中程よりも上方に向けて徐々に幅が広がるような形態であり、その中程よりも下方に向けて徐々に幅が広がるような形態であり、外形線が曲線とされている。一般に角張った連結部１５では、音が広がる際に邪魔になりやすいが、本実施例では、連結部１５の外形が曲線であるから、音の広がりを邪魔しにくい。
また、連結部１３は、スピーカ装置１の背面側に設けられているので、前方の聴取者の方へ向かう音を邪魔しにくい。
【００５１】
また、本実施例のスピーカ装置１では、内側筐体７の中心孔７Ｂの上部の位置には、十字状の橋部３１が配置されている。このような形態の橋部３１であると、内側筐体７の内部の吸音材９を上から出ないように止めることができる。
【００５２】
尚、本発明においては、上記実施例に限られず、目的、用途に応じて本発明の範囲内で種々変更した実施例とすることができる。
【００５３】
上記実施例１では、橋部３１は、十字形状とされてこととしたが、橋部３１の形状は特に限定されない。一本橋状であってもよい。
【００５４】
上記実施例１では、外側筐体３には、外径が１００ｍｍ〜１６０ｍｍで、肉厚が３〜４ｍｍの一般構造用圧延鋼材（ＳＳ材）の円パイプを用いた例を挙げて説明した。また、内側筐体７には、外径が７０ｍｍ〜９０ｍｍで、肉厚が１〜２．５ｍｍの一般構造用圧延鋼材（ＳＳ材）の円パイプを用いた例を挙げて説明した。本発明では、外側筐体３、内側筐体７の外径、肉厚、材質は特に限定されず、適宜選択できる。
但し、内側筐体７の肉厚は、外側筐体３の肉厚よりも薄いことが好ましい。このようにすると、独特の音の響きとすることができるからである。
【００５５】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【００５６】
本発明は上記で詳述した実施形態に限定されず、本発明の請求項に示した範囲で様々な変形または変更が可能である。
【産業上の利用可能性】
【００５７】
スピーカ装置に関する技術として広く利用される。
【符号の説明】
【００５８】
１；スピーカ装置
３；外側筐体
３Ａ；座部分
５；スピーカユニット
５Ａ；フレーム
５Ｂ；振動板
６；外側空間
７；内側筐体
７Ａ；内側空間
７Ｂ；中心孔
９；吸音材
１１；合成室
１３；反射部
１３Ａ；円環部
１３Ｂ；反射板
１５；連結部
１７：上部筐体
１９；下部筐体
２１；組み立て体
２３；鍔
２５；取り付け部
２７；中心孔
２９；周囲孔
３１；橋部
３３；上部鍔部
３５；貫通孔
３７；下部鍔部
３９；貫通孔
４３；孔
４５；板材
４７；貫通孔
【要約】
【課題】独自の音を再生できるスピーカ装置を提供することを目的とする。
【解決手段】スピーカ装置１では、外側筐体３と内側筐体７とは、略同心円状に配置されており、内側筐体７内には、吸音材９が配されている。スピーカ装置１によれば、内側筐体７内の吸音材９により、内部空間７Ａの音を共鳴しない音にすることができる。
また、本発明のスピーカ装置１では、金属製の外側筐体３と金属製の内側筐体７との間の外側空間６によって、ここの音を共鳴する音にすることができる。
そして、内側空間７Ａから放出される共鳴しない音と、外側空間６から放出される共鳴する音とが、合成されて独自の音を放出できる。
【選択図】図２【図１】
0005729743.tif 000002
【図２】
0005729743.tif 000003
【図３】
0005729743.tif 000004
【図４】
0005729743.tif 000005
【図５】
0005729743.tif 000006
【図６】
0005729743.tif 000007
【図７】
0005729743.tif 000008
【図８】
0005729743.tif 000009
【図９】
0005729743.tif 000010
【図１０】
0005729743.tif 000011
【図１１】
0005729743.tif 000012
【図１２】
0005729743.tif 000013
【図１３】
0005729743.tif 000014